(57)【要約】【課題】フリッカ妨害を低減してコスト増を抑制し、高い表示リフレッシュレートでの表示および輝度の向上を低コストで行う画像表示装置を提供する。【解決手段】周波数Ｆｂの信号を生成する走査配線駆動部が、所定の選択期間において、複数の走査配線のうちの一部かつ複数の走査配線に走査信号を印加する。所定の選択期間に続いた次の選択期間において、前段階で印加されていた走査配線分だけシフトさせて、複数の走査配線に走査信号を印加する。さらに、選択期間のいずれかにおいて、同時に複数の走査配線に走査信号を印加して、ｎ×Ｆｂ以下の周波数によって、ｎ本の走査配線を順次走査する。【選択図】        図２
2004219884.tif 000002
【特許請求の範囲】
【請求項１】
画像表示装置であって、
複数の表示素子と、
上記複数の表示素子を駆動するマトリクス配線を構成する複数の走査配線と、
上記複数の表示素子を駆動するマトリクス配線を構成する複数の変調配線と、
上記走査配線に対して走査信号を印加する回路であって、走査信号を印加する上記走査配線を順次切換える走査回路と、
所定のリフレッシュレートＦａ［Ｈｚ］を有する入力画像信号に基づいて、Ｆａ［Ｈｚ］よりも高い周波数Ｆｂ［Ｈｚ］を表示リフレッシュレートとして面表示を行う画像信号を生成する画像信号生成回路と、
上記走査信号が印加された走査配線に接続される上記表示素子に上記画像信号に基づく変調信号を、上記変調配線を介して印加する変調回路とを有しており、
上記走査回路が上記走査信号を印加する走査配線を選択期間ごとに切換える周波数が、ｎ（ｎ≧２）を走査する走査配線の本数、Ｔｂを１表示リフレッシュ期間における非表示期間として、ｎ／（（１／Ｆｂ）−Ｔｂ）よりも小さくなるように、一つの上記選択期間において複数の走査配線に走査信号を印加するものであることを特徴とする画像表示装置。
【発明の詳細な説明】
【０００１】
【発明の属する技術分野】
この発明は、画像表示装置に関する。
【０００２】
【従来の技術】
従来、マトリクス配線された複数の電子放出素子と、その電子線照射を受けて発光する蛍光面からなる表示パネルを用いて、テレビジョン信号やコンピュータからなどの表示信号を受信し、画像表示を行うテレビジョン受信機やディスプレイ装置の例としては、特許文献１や特許文献２のような構成が知られている。
【０００３】
これらの文献に記載された画像表示装置は、複数の表面伝導型電子放出素子が複数の走査配線と複数の変調配線とによりマトリクス状に結線されて構成されている。
【０００４】
そして、１つの走査配線に選択電位を与えるとともに複数の変調配線のそれぞれに駆動電位を与え、選択電位と駆動電位との電位差（以下、駆動電圧）によって電子放出素子を駆動することにより１ライン分の表示を行い、さらに、選択する走査配線を、所定の走査周波数によって順次切り替えて垂直方向の走査を行うことにより、１フレームの画像表示を実現している。
【０００５】
さて、特許文献１に記載された画像表示装置においては、図６に示すように、１フレームの画像表示が行われている。ここでは説明を容易にするために、表示パネルの画素が８列×６行のマトリクス配線により接続されているとともに、１フレーム期間が後述するように８つの走査期間に分けられて、画像表示を行うものとする。
【０００６】
すなわち、図６に示すように、それぞれの画素ごとの発光量を定める輝度データは、１フレーム期間を８つの走査期間に分け、それぞれの走査期間ごとに１走査分のデータが点順次に送られる。なお、パネルは６行であるが、１フレーム画像信号が７行分あり、７行目の画像信号を非表示としている。
【０００７】
この輝度データを、変調配線ごとに備えられた変調配線駆動回路が保持し、それぞれの走査期間ごと、およびそれぞれの変調配線ごとに、変調配線駆動のために、輝度データの大きさに比例する実効電位を持つ電圧パルスを出力する。また、ここで、走査配線の選択走査については、以下のように走査される。
【０００８】
すなわち、１番目の走査期間は、非表示期間に割り当て、どの走査にも選択電位を与えない。２番目の走査期間は、１行目の走査配線に選択電位を与え、１走査目の画素に発光の機会を与える。３番目の走査期間は、２行目の走査配線に選択電位を与え、２走査目の画素を発光の機会を与える。４番目の走査期間は、３行目の走査配線に選択電位を与え、３走査目の画素に発光の機会を与える。５番目の走査期間は、４行目の走査配線に選択電位を与え、４走査目の画素に発光の機会を与える。６番目の走査期間は、５行目の走査配線に選択電位を与え、５走査目の画素に発光の機会を与える。７番目の走査期間は、６行目の走査配線に選択電位を与え、６走査目の画素に発光の機会を与える。８番目の走査期間は、非表示期間に割り当て、どの走査配線にも選択電位を与えない。
【０００９】
また、特許文献２に記載された技術は、マトリクス配線された複数の電子放出素子からなる表示パネルを上下に２分割し、上半分のエリア用と下半分のエリア用とに独立して、変調配線変調回路および走査配線選択回路を備える技術である。
【００１０】
この技術によれば、走査選択時間を２倍に伸ばすことが可能となり、これによって生じる輝度マージンを、駆動電流減少に振り分けて、走査配線を流れる駆動電流により発生する電圧降下に起因する輝度低下を軽減することができる。
【００１１】
また、特許文献３に記載されたような構成も知られている。この特許文献３に記載された技術は、蛍光体の発光効率改善のために高フレームレート駆動を行うものである。この技術について、図７を参照しつつ説明する。なお、理解を容易にするために、表示パネル１００の画素は、８列×６行のマトリクス配線により接続されているものとする。
【００１２】
すなわち、図７に示すように、特許文献３に開示された技術は、入力信号として、１フレーム期間（６０Ｈｚ）に６本の走査線に相当する映像信号を受信するときに、１フレーム期間を２つのサブフレーム期間（１２０Ｈｚ）に分割し、半分の表示期間で２回繰り返して表示するという駆動表示方法である。これにより、蛍光体を連続して励起する時間を短くすることができるので、発光効率を改善することが可能となる。なお、特許文献４に記載されたような構成も知られている。
【００１３】
また、近年、テレビジョン信号フォーマットも多様化してきている。例えば、ＢＳデジタル放送においては、多様なフォーマットでの運用が行われている。一方、このような放送を受信する画像表示装置側の表示パネルの解像度においても、種々の組み合わせが考えられる。
【００１４】
すなわち、低解像度の放送に適合する画素数のパネルを用いて、高解像度フォーマットに基づいたＴＶ信号を受信する場合においては、低解像度パネル画素数に適合するように解像度変換を施して、画像表示を行う方法がある。
【００１５】
他方、高解像度放送に適合する画素数のパネルを用いて低解像度フォーマットＴＶ信号を受信する場合には、高解像度に合うように解像度変換を施し、画像表示を行う方法がある。
【００１６】
【特許文献１】
特開平６−３４２６３６号公報
【特許文献２】
特開平８−２１２９４４号公報
【特許文献３】
特開２０００−２５０４７３号公報
【特許文献４】
特開平８−５０４６２号公報
【００１７】
【発明が解決しようとする課題】
本願に係る発明は、好適な画像表示を実現することを目的とする。さらに、具体的には、フリッカ妨害の少ない画像表示を、駆動周波数の増大を抑制しつつ実現することを本願発明が解決できる課題の一つとして挙げることができる。
【００１８】
【課題を解決するための手段】
好適な画像表示を実現できる画像表示装置の発明の一つは、以下のように構成される。すなわち、
画像表示装置であって、
複数の表示素子と、
複数の表示素子を駆動するマトリクス配線を構成する複数の走査配線と、
複数の表示素子を駆動するマトリクス配線を構成する複数の変調配線と、
走査配線に対して走査信号を印加する回路であって、走査信号を印加する走査配線を順次切換える走査回路と、
所定のリフレッシュレートＦａ［Ｈｚ］を有する入力画像信号に基づいて、Ｆａ［Ｈｚ］よりも高い周波数Ｆｂ［Ｈｚ］を表示リフレッシュレートとして面表示を行う画像信号を生成する画像信号生成回路と、
走査信号が印加された走査配線に接続される表示素子に画像信号に基づく変調信号を、変調配線を介して印加する変調回路とを有しており、
走査回路が走査信号を印加する走査配線を選択期間ごとに切換える周波数が、ｎ（ｎ≧２）を走査する走査配線の本数、Ｔｂを１表示リフレッシュ期間における非表示期間として、ｎ／（（１／Ｆｂ）−Ｔｂ）よりも小さくなるように、一つの選択期間において複数の走査配線に走査信号を印加する
ことを特徴とする。
【００１９】
【発明の実施の形態】
以下に、本願に係る発明の実施形態について説明する。
【００２０】
なお、本願に係る発明において、入力画像信号がプログレッシブ信号であれば、そのフレーム周波数が入力画像信号のリフレッシュレートであり、入力画像信号がインターレース信号であれば、そのフィールド周波数が入力画像信号のリフレッシュレートである。
【００２１】
また、表示リフレッシュレートとは、複数の画像を順次表示（各画像の表示は飛び越し走査を少なくとも含む走査であるか、飛び越し走査を含まない走査であるかを問わない）していくときのその繰り返しの周波数のことを言う。
【００２２】
また、１表示リフレッシュ期間とは、表示リフレッシュレートの逆数を言う。１表示リフレッシュ期間における非表示期間とは、１表示リフレッシュ期間から、該１表示リフレッシュ期間において最初に走査信号が印加される走査配線への走査信号の印加を行うための選択期間が開始してから、該１表示リフレッシュ期間において最後に走査信号が印加される走査配線への走査信号の印加を行うための選択期間が終了するまでの期間を引いた期間を言う。この１表示リフレッシュ期間における非表示期間は、０であってもよい。
【００２３】
なお、走査配線への走査信号の印加を行うための選択期間は、一つの選択期間の終了時点とそれに続く選択期間の開始時点は同時になる性質を有する。一つの選択期間内で走査配線に走査信号を印加することができる。
【００２４】
また、選択期間をいっぱいに使って走査信号を印加することもできるが、選択期間内に走査信号が印加されない時間を設けることもできる。例えば、選択期間が開始してから実際の走査信号が印加されるまでの間、または走査信号の印加が終了してから選択期間が終了するまでの間に所定の時間を設けることができる。
【００２５】
また、選択期間とは、この選択期間の遷移が、あるデータに基づいて出力される変調信号を印加できる期間から、他のデータに基づいて出力される変調信号を印加できる期間への遷移と同期するものとして規定することができる。選択期間をいっぱいに使って変調信号を印加することもできるが、選択期間内に変調信号が印加されない時間を設けることもできる。
【００２６】
例えば、選択期間が開始してから実際の変調信号が印加されるまでの間、もしくは、変調信号の印加が終了してから選択期間が終了するまでの間に、所定の時間を設けることができる。ここで、走査信号を印加する走査配線を選択期間ごとに切り換える周波数は、１表示リフレッシュ期間中で一定であることが望ましい。しかしながら、これに限るものではない。ただし、その場合は、１表示リフレッシュ期間中の全ての選択期間は、いずれも（（１／Ｆｂ）−Ｔｂ））／ｎよりも大きくなるようにする。
【００２７】
なお、所定のリフレッシュレートＦａ［Ｈｚ］を有する入力画像信号に基づいて、Ｆａ［Ｈｚ］よりも高い周波数Ｆｂ［Ｈｚ］を表示リフレッシュレートとして面表示を行う構成において、走査回路が走査信号を印加する走査配線を切り換える周波数を、ｎ（ｎ≧２）を走査する走査配線の本数、Ｔｂを１表示リフレッシュ期間における非表示期間として、ｎ／（（１／Ｆｂ）−Ｔｂ）以下とするための構成としては、特に、走査回路が所定の選択期間において、ある走査配線に走査信号を印加している状態に続いて、次の選択期間において、別の走査配線に走査信号を印加するときに、上記所定の選択期間において走査信号を印加していた唯一つ、または複数の走査配線のうちの次の選択期間において、走査信号が印加される走査配線から最も離れた走査配線と、次の選択期間において走査信号が印加される唯一つ、または複数の走査配線のうちの先の（所定の）選択期間において走査信号が印加される走査配線にもっとも近い走査配線との間に、一つ以上の走査配線（この走査配線は上記所定の選択期間において走査信号が印加されるものであっても良い）が位置するように走査を行う構成を好適に採用することができる。
【００２８】
具体的には、例えば、ある選択期間において２行の走査配線（第１の走査配線と第２の走査配線）に同時に走査信号を印加し、続く選択期間において直前の選択期間において走査信号を印加していた走査配線から２行シフトさせた２つの走査配線（第３の走査配線と第４の走査配線；直前の選択期間において走査信号が印加されていた走査配線に最も近い走査配線である第３の走査配線と、直前の選択期間において走査信号が印加されていた走査配線のうちのこの選択期間において走査信号が印加される走査配線から最も離れた走査配線である第１の走査配線との間に、第２の走査配線が位置することになる）に同時に走査信号を印加する構成を好適に採用できる。１つの選択期間において、同時に走査信号を印加する走査配線の本数については、２つに限るものではない。また、連続する選択期間のそれぞれにおいて、同時に走査信号を印加する走査配線の数を同じにする必要もない。
【００２９】
なお、ある選択期間において複数の走査配線に同時に走査信号を印加するとは、複数の走査配線のそれぞれに印加する走査信号の先端と後端の両方が完全に一致している場合に限るものではない。
【００３０】
また、選択期間において、複数の変調配線に同時に変調信号を印加する機会を与える構成を特に好適に採用することができる。特に略全部の変調配線に同時に変調信号を印加する機会を与える構成（点順次走査ではなく線順次走査を行う構成）を好適に採用することができる。複数の変調配線に同時に変調信号を印加するとは、複数の変調配線に印加する複数の変調信号の前端と後端とが完全に一致している構成に限定するものではない。
【００３１】
また、さらに走査条件決定部を備え、走査回路は走査条件決定部からの指示信号により画像表示を行うための走査方法が変更可能に構成された構成を好適に採用できる。
【００３２】
具体的には、分割するサブフレーム数（１フレーム期間もしくは１フィールド期間をいくつのサブフレームで構成するか）、それぞれのサブフレーム期間の１走査単位（１選択期間）に選択する走査配線本数、または走査を行う走査範囲の少なくともいずれかが、走査条件決定部から供給される指示信号により決定されるようにした構成を好適に採用できる。ここで走査範囲とは、走査の対象となる走査配線を含む領域である走査領域に相当するものである。走査の対象となる走査配線の本数とは、表示装置が有する走査配線の本数から画像表示を行うための走査の対象とならない走査配線の本数を引いたもののことを言う。
【００３３】
例えば、１０００本の走査配線を有する画像表示装置において、画像表示のための走査の対象とならない走査配線が無い場合には、有効な走査配線の本数は１０００本となる。一部で飛び越し走査を行う場合であっても、ある１枚の画面表示の際に飛び越された走査配線が該画面表示に続いて、または近接して行われる画面表示の際に走査対象となる場合には、該飛び越された走査配線を画像表示のための走査の対象とならない走査配線としない。
【００３４】
また、所定領域の走査配線を走査の際の選択の対象とせずに走査を行う場合、例えば、複数の走査配線のうちの上側の一部、下側の一部、またはその両方の走査配線を選択の対象にせずに走査を行う場合がある。例えば１０００本の走査配線を有する画像表示装置において、上側の１５０本の走査配線と下側の１５０本の走査配線とを走査の対象とせずに、真中の７００本の走査配線を走査の対象として画像表示を行う場合である。そのときには、有効な走査配線の本数は７００本となる。
【００３５】
また、この発明において、好適には、走査条件決定部により決定された走査方法に適合するように、走査条件決定部からの指示信号に応じて画像信号生成部が変調回路に与える画像信号を生成する回路を備える。
【００３６】
また、この発明において、好適には、入力画像信号が、そのインターレース比が１：１のプログレッシブ信号であるときに、１フレームの画像表示を行うのに１フレーム期間を２つのサブフレーム期間に分割し、分割したひとつのサブフレーム期間は、１フレームの走査線構造を有する駆動輝度信号のうちの奇数番目の走査線信号に基づいて駆動を行い、もう１つのサブフレーム期間は、偶数番目の走査線信号に基づいて駆動を行う回路を備える。
【００３７】
また、この発明において、好適には、入力画像信号が、そのインターレース比が２：１のインターレース信号であるときに、１フレームの画像表示を行うのに偶奇それぞれのフィールド期間をそれぞれの２つのサブフレーム期間に分割し、分割された２つのサブフレーム期間のうち少なくともひとつのサブフレーム期間においては、同時に複数の走査配線に走査信号を印加することによって、ｎ本の走査配線を順次走査する回路を備える。
【００３８】
また、この発明において、好適には、入力画像信号の種別を判別する入力信号判別部をさらに備え、入力信号判別部からの判別信号により、走査条件決定部が１フレーム期間を複数期間に分割するサブフレーム数およびそれぞれのサブフレーム期間の１走査単位に選択する走査配線本数およびそれぞれの走査単位の走査位置を決定するような回路を備える。
【００３９】
また、この発明において、好適には、画像表示装置の表示輝度要求値を発生する回路をさらに備え、表示輝度要求値により走査条件決定部が１フレーム期間を複数期間に分割するサブフレーム数およびそれぞれのサブフレーム期間の１走査単位に選択する走査配線本数およびそれぞれの走査単位の走査領域を決定するような回路を備える。
【００４０】
この発明において、好適には、入力画像信号の種別を判別する入力信号判別部と画像表示装置の表示輝度要求値を発生する回路とをさらに備え、さらに入力信号判別部からの判別信号と表示輝度要求値との両方により、走査条件決定部が１フレーム期間を複数期間に分割するサブフレーム数、それぞれのサブフレーム期間の１走査単位に選択する走査配線本数および、それぞれの走査単位の走査位置を決定するような回路を備える。また、より好適には、表示輝度制御部と表示輝度被制御部を備え、画像表示部の発光輝度が所望の値になるように、走査条件決定部により決定される走査条件と連動して、表示輝度制御部が表示輝度被制御部を可変制御するような回路を備える。
【００４１】
また、この発明において、典型的には、走査配線に印加する走査電位を可変する回路をさらに備え、表示輝度制御が少なくとも走査電位を可変することにより行われるような回路を備える。
【００４２】
また、この発明において、典型的には、画像表示部は、電圧を印加されて電子を放出する電子放出素子と、該電子放出素子からの電子線照射を受けて発光する発光部材とを有するように構成することが可能である。また、電子放出素子は、表面伝導型電子放出素子であってもよい。
【００４３】
なお、本願に係る発明は、以下で具体的に述べる実施形態に限定されるものではなく、以上及び以下に示す技術的思想から選択的に組み合わせられた技術的思想をも包含するものである。そして、本願は、画像表示装置に関するのみならず、電子放出素子の駆動装置および駆動方法に関する発明を含むものである。
【００４４】
以下、この発明の実施形態について図面を参照しながら説明する。なお、以下の実施形態の全図においては、同一または対応する部分には同一の符号を付す。
【００４５】
この発明は、特に、高解像度表示パネルを用いた画像表示装置において、低解像度放送を受信する場合に有効である。
【００４６】
また、１度の走査単位において、２走査の画素を同時に発光させる走査方法を採用することにより、１走査ごとの発光ラインを順次走査していく方式に比して、１フレーム期間におけるそれぞれの画素選択時間を２倍の長さに設定できる。そのため、表示パネルの発光輝度を、およそ２倍にすることが可能となる。
【００４７】
または、１フレーム期間におけるそれぞれの画素選択時間が長くなった分、それぞれの画素の電子放出量を減少させたとしても、表示パネルの発光輝度は変わらない。
【００４８】
すなわち、この方法によれば、発光輝度を下げることなく、走査配線を流れる駆動電流を減らすことが可能となり、走査配線上に発生する電圧降下に起因する輝度低下を軽減することが可能となる。
【００４９】
なお、この発明の画像表示装置およびその駆動方法は、たとえばテレビジョン（ＴＶ）信号やコンピュータなどの画像出力信号などの画像信号（映像信号）を表示するディスプレイ装置に適用可能であり、これらに関する発明をも含むものである。
【００５０】
また、ここでは、表面伝導型電子放出素子を用いた画像表示装置を例とするが、この発明は、ＦＥ型素子やＭＩＭ型素子などの冷陰極型電子放出素子やエレクトロルミネセンス素子（ＥＬ素子）などを用いた画像表示装置などにも好適に適用可能である。
【００５１】
（第１の実施形態）
まず、この発明の第１の実施形態による画像表示装置について説明する。図１に、この発明の第１の実施形態による画像表示装置の構成を示す。
【００５２】
図１に示すように、表示パネル１００は、表面伝導型素子をＭ×Ｎ画素のマトリクス状に配線したマルチ電子ビーム源と、このマルチ電子ビーム源から放出された電子ビームの照射を受けて発光する蛍光面とから構成されている。
【００５３】
また、高圧電源部１１１は、放出された電子ビームを加速するための加速電圧となる高圧電圧バイアスを蛍光面に印加するためのものである。
【００５４】
また、特許文献３に記載されているように、表面伝導型素子を用いた表示パネルの発光輝度階調制御方法としては、いくつか考えられる。
【００５５】
この第１の実施形態においては、入力されるそれぞれの画素発光量を定めた輝度データに応じたパルス幅をパルス幅変調信号として変調配線に印加する、変調回路としての変調配線駆動部１０３が設けられている。
【００５６】
他方、走査回路としての走査配線駆動部１０４は、発光させる表示素子が接続される走査配線に走査信号の選択電圧パルスを印加し、非選択走査配線（非選択ライン）に非選択電圧を印加して、順次選択する行を走査するためのものである。
【００５７】
そして、変調信号である電圧パルスの電位と走査信号である選択電圧パルスの電位との電位差を表示素子に印加することにより素子を駆動し、変調信号としてパルス幅が変調されたパルス幅変調信号を用いることにより画像表示を行う、いわゆるパルス幅変調・線順次駆動の方式が採用されている。
【００５８】
また、Ｖｍ電源部１０８は、変調配線駆動部１０３の出力電圧パルスの電位を決定する電源である。また、Ｖｓｓ電源部１０９は、走査配線駆動部１０４の出力する選択電圧パルスの電位を決定する電源である。また、Ｖｕｓ電源部１１０は、走査配線駆動部１０４の出力の非選択電圧パルスの電位を決めるための電源である。
【００５９】
また、走査配線駆動部１０４は、パネル走査配線の本数と同数のスイッチ（ＳＷ）回路と、このＳＷ回路に対して、選択および非選択を示す走査信号を供給する走査信号発生部とからなる。
【００６０】
そして、この走査配線駆動部１０４は、選択時において、Ｖｓｓ電源部１０９から供給される電圧を表示パネル１００の走査配線に印加し、非選択時において、Ｖｕｓ電源部１１０から供給される電圧を表示パネル１００の走査配線に印加する。
【００６１】
また、入力端子部１０１は、外部からの映像信号入力を受けるための入力部である。なお、入力端子部１０１は、制限された伝送帯域において映像信号を供給するために、入力映像信号が原信号より圧縮された形態で入力される場合においては、圧縮信号を伸長して原信号に復調するデコード回路を含めて構成されている。
【００６２】
また、入力端子部１０１に入力された映像信号は、画像信号生成回路としての駆動輝度信号生成部１０２に供給される。この駆動輝度信号生成部１０２においては、入力端子部１０１からの画像信号を、表示パネル１００の素子数および画素構成に適合するように、サンプリングする。そして、この入力画像信号から、表示パネル１００のそれぞれの画素における電子線放出量要求値データに相当する輝度データを生成する。
【００６３】
また、垂直配線数に関しては、入力映像信号の有効表示走査線数と表示パネル１００の走査配線数（表示走査ライン数）とが相違する場合に、走査線補間などの拡大縮小処理が行われる。そして、表示パネル１００の走査配線数に適合した駆動輝度信号が出力される。この拡大縮小処理率は、制御回路としての走査条件決定部１０７により適応的に与えられる。
【００６４】
また、生成された輝度データは、表示する走査配線の選択走査に同期して表示できるように、１変調分の輝度データ変調が１選択期間内に変調配線駆動部１０３に供給される。
【００６５】
ここでは、１ライン走査期間が１つの選択期間に相当する。そして、選択期間の開始時に１クロック分のローレベル制御部分を設け、その後に走査信号を印加している。また、変調配線駆動部１０３は、１つの選択期間内に、パルス幅変調信号が収まるようにパルス幅変調信号を出力する。
【００６６】
具体的には、選択期間の開始に同期させて、パルス幅変調信号の印加を開始する。なお、選択期間の開始時に選択された走査配線の信号レベルがローレベルになる部分が設けられており、その後に走査信号が印加される。そのため、走査信号の印加とともにパルス幅変調信号の印加が開始されるように、パルス幅変調信号においても、選択期間の開始から１クロック遅延して印加されている。
【００６７】
また、画像信号は、ＣＲＴ（陰極線管）を用いた表示装置を前提にしていることが多い。そのため、画像信号に対しては、ＣＲＴの有するガンマ特性が考慮されて、ガンマ補正されていることが多い。
【００６８】
そこで、発光輝度が電子線放出量要求値データにほぼ比例するような表示パネルを対象とする場合、駆動輝度信号生成部１０２内において、あらかじめ施されているガンマ補正を相殺する、いわゆる逆ガンマ補正処理が行われる。
【００６９】
また、この駆動輝度信号生成部１０２は、入力画像信号に含まれる同期信号を画像信号から分離して、タイミング発生部１０５に供給するためのものである。このタイミング発生部１０５は、駆動輝度信号生成部１０２から同期信号が入力されると、駆動輝度信号生成部１０２内におけるデータサンプリングや、変調配線駆動部１０３への輝度データ変調転送などの信号処理に必要なクロック信号（ＣＬＫ信号）を生成する。この生成されたＣＬＫ信号は、駆動輝度信号生成部１０２および変調配線駆動部１０３に供給される。
【００７０】
また、同期信号が入力されたタイミング発生部１０５は、走査配線選択に必要な走査配線選択開始のスタートトリガ信号と、順次選択ラインを切替えるためのラインＣＬＫ信号とを生成し、走査回路としての走査配線駆動部１０４に供給する。
【００７１】
また、発光輝度制御部１０６は、Ｖｓｓ電源部１０９、またはＶｍ電源部１０８およびＶｕｓ電源部１１０の出力電圧に変化を与える。これにより、発光輝度制御部１０６は、表示パネル１００のそれぞれの画素における電子線放出量が制御され、その結果、表示パネル１００の発光輝度が可変制御される。
【００７２】
また、走査条件決定部１０７は、１フレーム期間内の走査方法を切替えるために備えられた走査制御部である。そして、この走査条件決定部１０７からタイミング発生部１０５に、１走査単位（１選択期間）に同時選択する走査数および、それぞれの走査単位の走査領域を決定するための指示信号が供給され、走査配線駆動部１０４が制御される。
【００７３】
また、走査条件決定部１０７は、決定された走査条件と変調配線駆動部１０３に入力される駆動輝度信号とが適合するように、拡大縮小処理率を示す信号を駆動輝度信号生成部１０２に供給可能に構成されている。
【００７４】
次に、以上のように構成された、この第１の実施形態による画像表示装置における走査配線の走査条件について説明する。図２に、この第１の実施形態による走査配線の走査におけるタイミングの一例を示す。なお、理解を容易にするために、表示パネル１００は、８列×６行のマトリクス配線により接続された画素から構成されるものとする。
【００７５】
すなわち、この第１の実施形態においては、入力画像信号が、そのリフレッシュレートが例えば６０Ｈｚの周波数である１フレーム期間に、７走査分の順次信号の形態によって入力される。そして、この入力画像信号を受けた駆動輝度信号生成部１０２は、１フレーム期間を２つのサブフレームに分割することにより、入力画像信号の周波数より高い１２０Ｈｚの周波数の信号を生成する。
【００７６】
そして、個々のサブフレーム期間、具体的には、例えばサブフレーム１期間において、１，３，５，７行目の画像信号を、サブフレーム２期間において、２，４，６行目の画像信号を、それぞれ変調配線駆動部１０３に供給する。なお、これらのサブフレーム期間への分割は、あくまで一例であり、この分割より多く分割することも可能である。
【００７７】
また、それぞれのサブフレームは、複数の選択期間としての４つの走査期間に分割され、それぞれのサブフレームおよびそれぞれの走査期間の表示シーケンスは、以下のように規定される。なお、以下における画素は、表示素子が駆動されることにより形成されるものであり、具体的には、それぞれの表示素子が発光して形成される輝点を画素として画像表示を行っている。
【００７８】
＜第１サブフレーム＞
まず、第１サブフレームにおいて、１番目の走査期間（図２中、サブフレーム１期間の走査期間１として示される期間（以下、同様に示す））は、１行目の輝度データに相当する変調配線駆動パルス電位をそれぞれの走査配線に出力し、１行目の走査配線に走査信号である選択電位を与え、１行目の画素に発光の機会を与える。
【００７９】
また、２番目の走査期間は、３行目の輝度データに相当する変調配線駆動パルス電位をそれぞれの走査配線に出力し、２，３行目の走査配線に選択電位を与え、２，３行目の画素に発光の機会を与える。
【００８０】
また、３番目の走査期間は、５行目の輝度データに相当する変調配線駆動パルス電位をそれぞれの走査配線に出力し、４，５行目の走査配線に選択電位を与え、４，５行目の画素に発光の機会を与える。
【００８１】
また、４番目の走査期間は、７行目の輝度データに相当する変調配線駆動パルス電位をそれぞれの走査配線に出力し、６行目の走査配線に選択電位を与え、６行目の画素に発光の機会を与える。
【００８２】
＜第２サブフレーム＞
また、第２サブフレームにおいては、まず、１番目の走査期間について、２行目の輝度データに相当する変調配線駆動パルス電位をそれぞれの走査配線に出力し、１，２行目の走査配線に選択電位を与え、１，２行目の画素に発光の機会を与える。
【００８３】
また、２番目の走査期間においては、４行目の輝度データに相当する変調配線駆動パルス電位をそれぞれの走査配線に出力し、３，４行目の走査配線に選択電位を与え、３，４行目の画素に発光の機会を与える。
【００８４】
また、３番目の走査期間においては、６行目の輝度データに相当する変調配線駆動パルス電位をそれぞれの走査配線に出力し、５，６行目の走査配線に選択電位を与え、５，６行目の画素に発光の機会を与える。また、４番目の走査期間は、非表示期間に割り当てる。
【００８５】
なお、図２に示す例においては、入力画像信号と走査選択走査とがフレーム同期信号により同期している例を示したが、必ずしも同期している必要はない。
【００８６】
以上説明したように、この第１の実施形態においては、１つのフレームを２つのサブフレームに分割し、サブフレームごとに走査配線選択を行うようにしていることにより、画像表示のフレーム周波数を変化させることなく、サブフレーム周波数をフレーム周波数の整数倍、例えば２倍の周波数とすることができるので、面表示のリフレッシュレートが、この整数倍、例えば２倍に高速化されたことに相当させることができ、入力画像信号のリフレッシュレートに起因するフリッカ妨害の改善を図ることができる。
【００８７】
また、この第１の実施形態によれば、２つのサブフレーム期間に分割して、面表示周波数を２倍に増加させている一方で、２走査配線同時選択駆動を行っていることにより、１フレーム期間における走査配線を走査選択する回数が維持されるため、走査配線選択周波数は、図６に示す駆動方法におけると同様にすることができる。
【００８８】
図７に示す高フレーム化駆動の例において、面表示周波数を２倍に上げると、走査配線選択周波数も２倍になってしまう。これは、変調駆動部へのデータ転送を半分の時間で実行する必要があることを意味し、これを実現するためには、駆動輝度信号生成部１０２および変調配線駆動部１０３の動作周波数を２倍に高速化しなければならなかった。そのため、表示パネルが高精細化された場合においては、動作周波数の制限から実現不可能であったのに対し、この第１の実施形態による駆動方式を採用することにより、動作周波数の増加を抑制しつつ、面表示周波数を２倍に増加させることが可能となる。
【００８９】
（第２の実施形態）
次に、この発明の第２の実施形態について説明する。図３に、この第２の実施形態による走査配線の走査におけるタイミングの１例を示す。なお、理解を容易にするために、表示パネル１００は、８列×７行のマトリクス配線により接続された画素から構成されるものとする。なお、この第２の実施形態による画像表示装置は、第１の実施形態におけると同様の構成を有するので、説明は省略する。
【００９０】
この第２の実施形態においては、第１の実施形態が、いわゆるプログレッシブ信号と呼ばれる入力画像信号を受け、高フレーム化駆動するものであったのに対し、インターレース信号を入力画像信号として受信し、奇数・偶数フィールドからなるフィールド周波数を入力リフレッシュレートとし、そのリフレッシュレートを２倍に高速化して駆動するものである。
【００９１】
すなわち、この第２の実施形態においては、入力画像として、奇数フィールドに１，３，５，７行の奇数ラインに相当する画像信号が入力され、偶数フィールドに２，４，６，８行の偶数ラインに相当する画像信号が入力される。
【００９２】
また、この第２の実施形態による走査配線選択走査においては、奇数フィールド期間を、サブフレーム１期間およびサブフレーム２期間の２つのサブフレームに分割するとともに、偶数フィールド期間を、サブフレーム３期間およびサブフレーム４期間の２つのサブフレームに分割する。
【００９３】
そして、それぞれサブフレーム期間に分割した上で、入力ライン周波数の２倍の走査選択速度によって、同時に２行ずつ選択しつつ走査配線選択走査が行われる。
【００９４】
すなわち、まず、サブフレーム１期間およびサブフレーム２期間においては、１番目の走査期間が、１行目の輝度データに相当する変調配線駆動パルス電位をそれぞれの走査配線に出力し、１行目の走査配線に選択電位を与え、１行目の画素に発光の機会を与える。
【００９５】
また、２番目の走査期間においては、３行目の輝度データに相当する変調配線駆動パルス電位をそれぞれの走査配線に出力し、２，３行目の走査配線に選択電位を与え、２，３行目の画素に発光の機会を与える。
【００９６】
また、３番目の走査期間においては、５行目の輝度データに相当する変調配線駆動パルス電位をそれぞれの走査配線に出力し、４，５行目の走査配線に選択電位を与え、４，５行目の画素に発光の機会を与える。
【００９７】
また、４番目の走査期間においては、７行目の輝度データに相当する変調配線駆動パルス電位をそれぞれの走査配線に出力し、６，７行目の走査配線に選択電位を与え、６行目の画素に発光の機会を与える。
【００９８】
また、サブフレーム３期間およびサブフレーム４期間は、１番目の走査期間においては、２行目の輝度データに相当する変調配線駆動パルス電位をそれぞれの走査配線に出力し、１，２行目の走査配線に選択電位を与え、１，２行目の画素に発光の機会を与える。
【００９９】
また、２番目の走査期間においては、４行目の輝度データに相当する変調配線駆動パルス電位をそれぞれの走査配線に出力し、３，４行目の走査配線に選択電位を与え、３，４行目の画素に発光の機会を与える。
【０１００】
また、３番目の走査期間においては、６行目の輝度データに相当する変調配線駆動パルス電位をそれぞれの走査配線に出力し、５，６行目の走査配線に選択電位を与え、５，６行目の画素に発光の機会を与える。
【０１０１】
また、４番目の走査期間においては、８行目の輝度データに相当する変調配線駆動パルス電位をそれぞれの走査配線に出力し、７行目の走査配線に選択電位を与え、７行目の画素に発光の機会を与える。
【０１０２】
上述した例においては、入力偶奇のそれぞれのフィールド期間を２つのサブフレーム期間に分割し、１度の走査単位において、２行の画素を同時に発光させる走査方法の例について説明したが、サブフレーム分割数や同時発光させる行数は、必ずしもこれに限定されるものではなく、種々の値を採用することが可能である。
【０１０３】
この第２の実施形態によれば、１フィールド期間を２つのサブフレームに分割し、それぞれのサブフレームごとに走査配線選択を行うようにしていることにより、画像表示のフレーム周波数は変わらないものの、サブフレーム周波数がフィールド周波数の２倍の周波数で行われるため、面表示のリフレッシュレートは２倍に高速化されたことに相当し、入力信号のリフレッシュレートに起因するフリッカ妨害を改善することができる。
【０１０４】
また、１度の走査単位において２走査の画素を同時に発光させる走査方法を採用していることにより、従来のような１走査ごとに発光ラインを順次走査していく方式に比して、１フレーム期間におけるそれぞれの画素選択時間を２倍の長さに設定することができる。そのため、表示パネル１００の発光輝度をおよそ２倍にすることが可能となる。
【０１０５】
また、１フレーム期間におけるそれぞれの画素選択時間が長くなっているため、それぞれの画素における電子放出量を減少させた場合にも、表示パネル１００の発光輝度を維持することが可能となる。
【０１０６】
すなわち、この第２の実施形態によれば、発光輝度を下げることなく、走査配線を流れる駆動電流を低減することが可能となり、走査配線上に発生する電圧降下に起因する輝度低下を軽減することが可能となる。
【０１０７】
また、従来技術においては、マトリクスパネルを用いた画像表示装置においてインターレース信号を表示する場合、２倍のライン周波数を有するプログレッシブ信号に変換した後、２倍の走査速度で１走査ずつ線順次走査を行って表示する必要があったのに対し、この第２の実施形態においては、２倍の走査選択速度で走査配線選択を行っているが、この走査速度は、従来のプログレシッブ信号受信時の走査速度と同等である。そのため、駆動輝度信号生成部１０２および変調配線駆動部１０３の動作周波数増大を憂慮することがなくなる。
【０１０８】
（第３の実施形態）
次に、この発明の第３の実施形態について説明する。図４に、この第３の実施形態による走査配線の走査におけるタイミングの１例を示す。なお、理解を容易にするために、表示パネル１００は、８列×７行のマトリクス配線により接続された画素から構成されるものとする。なお、この第３の実施形態による画像表示装置は、第１の実施形態におけると同様の構成を有するので、説明は省略する。
【０１０９】
図４に示すように、この第３の実施形態においては、第２の実施形態におけると異なり、サブフレーム１期間およびサブフレーム２期間の２つのサブフレーム期間において、異なる走査配線選択が行われる。また、サブフレーム３期間およびサブフレーム４期間の２つのサブフレーム期間においても、２つのサブフレーム期間において、異なる走査配線選択が行われる。
【０１１０】
すなわち、奇数フィールド期間のサブフレーム１期間と偶数フィールド期間のサブフレーム３期間とにおける１番目の走査期間において、１行目の輝度データに相当する変調配線駆動パルス電位をそれぞれの走査配線に出力し、１行目の走査配線に選択電位を与え、１行目の画素に発光の機会を与える。
【０１１１】
また、２番目の走査期間においては、３行目の輝度データに相当する変調配線駆動パルス電位をそれぞれの走査配線に出力し、２，３行目の走査配線に選択電位を与え、２，３行目の画素に発光の機会を与える。
【０１１２】
また、３番目の走査期間においては、５行目の輝度データに相当する変調配線駆動パルス電位をそれぞれの走査配線に出力し、４，５行目の走査配線に選択電位を与え、４，５行目の画素に発光の機会を与える。
【０１１３】
また、４番目の走査期間においては、７行目の輝度データに相当する変調配線駆動パルス電位をそれぞれの走査配線に出力し、６，７行目の走査配線に選択電位を与え、６行目の画素に発光の機会を与える。
【０１１４】
他方、奇数フィールド期間のサブフレーム２期間と偶数フィールド期間のサブフレーム４期間とにおける１番目の走査期間において、２行目の輝度データに相当する変調配線駆動パルス電位をそれぞれの走査配線に出力し、１，２行目の走査配線に選択電位を与え、１，２行目の画素に発光の機会を与える。
【０１１５】
また、２番目の走査期間においては、４行目の輝度データに相当する変調配線駆動パルス電位をそれぞれの走査配線に出力し、３，４行目の走査配線に選択電位を与え、３，４行目の画素に発光の機会を与える。
【０１１６】
また、３番目の走査期間においては、６行目の輝度データに相当する変調配線駆動パルス電位をそれぞれの走査配線に出力し、５，６行目の走査配線に選択電位を与え、５，６行目の画素に発光の機会を与える。
【０１１７】
また、４番目の走査期間は、８行目の輝度データに相当する変調配線駆動パルス電位をそれぞれの走査配線に出力し、７行目の走査配線に選択電位を与え、７行目の画素に発光の機会を与える。
【０１１８】
なお、上述した例においては、入力偶奇のそれぞれのフィールド期間を２つのサブフレームに分割し、１度の走査単位において、２走査配線に対応する画素を同時に発光させる走査方法の例について説明したが、サブフレーム分割数や同時に発光の機会を与える走査配線数は、上述の値に限定されるものではなく、種々の値を採用することが可能である。
【０１１９】
以上説明したように、この第３の実施形態においては、１フィールド期間を２つのサブフレームに分割し、それぞれのサブフレームごとに走査配線選択を行うようにしていることにより、画像表示のフレーム周波数は変わらないものの、サブフレーム周波数がフィールド周波数の２倍の周波数で行われる。そのため、面表示のリフレッシュレートが２倍に高速化されたことに相当し、入力信号のリフレッシュレートに起因するフリッカ妨害を改善することができる。
【０１２０】
また、１度の走査単位において２走査の画素を同時に発光させる走査方法を採用していることにより、従来技術のような１走査ごとの発光ラインを順次走査していく方式に比して、１フレーム期間におけるそれぞれの画素選択時間を２倍の長さに設定することができるため、表示パネル１００の発光輝度をおよそ２倍にすることが可能となる。
【０１２１】
また、この第３の実施形態によれば、１フレーム期間におけるそれぞれの画素選択時間が長くなった分、それぞれの画素における電子放出量を減少させても、表示パネル１００の発光輝度は変わらない。すなわち、発光輝度を下げることなく、走査配線を流れる駆動電流を減らすことが可能となり、走査配線上に発生する電圧降下に起因する輝度低下を軽減することが可能となる。
【０１２２】
また、従来技術によるマトリクスパネルを用いた表示装置においては、インターレース信号を表示する場合に、２倍のライン周波数を有するプログレッシブ信号に変換した後、２倍の走査速度によって１走査ずつ線順次走査を行うことにより表示していた。これに対し、この第３の実施形態においては、例えば２倍の走査選択速度により走査配線選択を行っているが、走査速度に関しては、従来のプログレシッブ信号受信時の走査速度と同等の速度を維持することが可能である。そのため、駆動輝度信号生成部１０２および変調配線駆動部１０３の動作周波数増大を憂慮する必要がないという効果を得ることができる。
【０１２３】
（第４の実施形態）
次に、この発明の第４の実施形態について説明する。図５に、この第４の実施形態による構成例を示す。なお、この第４の実施形態は、上述した第２の実施形態の変形であり、画像表示装置の構成に関しては、第１の実施形態におけると同様であるので、その説明を省略する。
【０１２４】
すなわち、上述の第２の実施形態においては、サブフレーム１期間およびサブフレーム２期間、またはサブフレーム３期間およびサブフレーム４期間の、２つのサブフレームにおいては、同じ走査に同じ輝度データが与えられるように走査配線選択が行われていた。これに対し、この第４の実施形態においては、フィールド期間の２つのサブフレーム期間において、互いに異なる走査配線選択を行うようにする。図５に、この第４の実施形態によるタイミングを表す図を示す。
【０１２５】
すなわち、図５に示すように、奇数フィールド期間のサブフレーム１期間と偶数フィールド期間のサブフレーム３期間とにおいては、１走査期間に２走査同時に選択する走査配線選択が行われる。これに対し、奇数フィールド期間のサブフレーム２期間と偶数フィールド期間のサブフレーム４期間とにおいては、１走査期間に１走査選択し、次の走査期間で１走査分飛ばした走査配線選択を行うようにする。
【０１２６】
この第４の実施形態によれば、１フィールド期間を２つのサブフレームに分割し、それぞれのサブフレームごとに走査配線選択を行うようにしていることにより、第１の実施形態におけると同様の効果を得ることができるとともに、１度の走査単位において、２走査の画素を同時に発光させる走査方法を採用したサブフレームが半分存在することにより、従来技術による１走査ごとの発光ラインを順次走査していく方式に比して、１フレーム期間におけるそれぞれの画素選択時間を１．５倍の長さに設定することができる。そのため、表示パネル１００の発光輝度をおよそ１．５倍にすることが可能となる。
【０１２７】
また、この第４の実施形態によれば、１フレーム期間におけるそれぞれの画素選択時間が長くなった分、それぞれの画素の電子放出量を減少させても、表示パネル１００の発光輝度は変えないようにすることができる。すなわち、発光輝度を減少させることなく、走査配線を流れる駆動電流を減らすことが可能となる。これにより、走査配線上に発生する電圧降下に起因する輝度低下を軽減することが可能となる。
【０１２８】
さらに、この第４の実施形態によれば、サブフレームの１つを２走査同時選択とし、他方の１つのサブフレームを１走査飛ばしとした１走査ずつの選択走査を行っていることにより、すべて２走査同時選択する場合に比して、高い垂直解像度特性を得ることができる。
【０１２９】
（第５の実施形態）
次に、この発明の第５の実施形態について説明する。なお、画像表示装置の構成については、第１の実施形態におけると同様であるので、その説明を省略する。
【０１３０】
また、この第５の実施形態においては、走査条件数やそれぞれの走査条件時の走査シーケンスは、画像表示装置に入力される画像信号フォーマットと画像表示装置の表示パネル画素数および使用者の好みにより決定されるべきものである。
【０１３１】
すなわち、例えばＢＳデジタル放送における５２５ｉ，５２５ｐ，１１２５ｉ，７５０ｐの４種フォーマットを受信する画像表示装置を例として考える。この画像表示装置は、１１２５ｉや７５０ｐのような、いわゆる高解像度放送に適合する画素数のパネルを用いているものとする。
【０１３２】
この第５の実施形態においては、入力される画像信号が５２５ｉ，５２５ｐ，１１２５ｉ，７５０ｐのいずれであるかが走査条件決定部１０７に判別され、入力信号フォーマットに応じて、以下のように２ビットの走査切替信号が出力される。
【０１３３】
５２５ｉの場合：  走査切替信号（Ｈ，Ｈ）を出力する。
５２５ｐの場合：  走査切替信号（Ｈ，Ｌ）を出力する。
１１２５ｉの場合：  走査切替信号（Ｌ，Ｈ）を出力する。
７５０ｐの場合：  走査切替信号（Ｌ，Ｌ）を出力する。
【０１３４】
すなわち、タイミング発生部１０５は、上述の５２５ｉ，５２５ｐ，１１２５ｉ，７５０ｐの入力信号に対するあらかじめ決定されている４種の走査条件、すなわち１走査単位における同時選択走査数およびそれぞれの走査単位で重複する走査数を備えており、入力画像フォーマット判別結果に相当する２ビットの走査切替信号に応じて切り替えられる。
【０１３５】
また、駆動輝度信号生成部１０２の走査線変換処理についても同様に、上述の５２５ｉ，５２５ｐ，１１２５ｉ，７５０ｐの入力信号に対するあらかじめ決められた４種の走査線変換条件を備えており、入力画像フォーマット判別結果に相当する２ビットの走査切替信号に応じて切り替えられる。
【０１３６】
このように、入力画像信号が走査条件決定部１０７により判別され、この判別結果に応じて駆動輝度信号生成部１０２やタイミング発生部１０５が制御される。これにより、プログレッシブ信号が入力されたときには、第１の実施形態におけると同様の走査が行われる。また、インターレース信号が入力されたときは、第２の実施形態のような走査が行われるというように、入力信号に適応する走査方法を選択することが可能となる。
【０１３７】
また、走査条件決定部１０７を、例えばリモートコントローラなどのユーザーインターフェース回路（図示せず）からの走査条件切替え要求を受信可能に構成していることにより、使用者の好みに応じた走査条件を決定することが可能となる。なお、走査条件に関しては、上述に限定されるものではなく、種々の走査条件を取ることが可能である。
【０１３８】
（第６の実施形態）
次に、この発明の第６の実施形態について説明する。この第６の実施形態においては、走査条件決定部１０７が表示輝度に応じて走査条件を切替える例について説明する。
【０１３９】
例えば、ユーザーの調整による輝度可変範囲が２５％〜２００％である画像表示装置においては、２５％〜１００％の輝度可変制御に対しては、解像度を優先させるために、１行ずつ順次走査する走査条件を選択して例えば駆動電圧を制御するような方法で輝度制御を行い、１００％〜２００％の輝度範囲に対しては、第１の実施形態に相当する駆動を行って輝度が２倍になるように同時選択走査数および走査単位位置を選択するとともに、駆動電圧を所望の輝度が得ることができるように連動制御する。
【０１４０】
このように、明るさ調整回路と走査条件選択とを組み合わせることにより、従来技術に比して、より広範囲の明るさ調整を実現することが可能となる。なお、明るさ調整の例として、駆動電圧制御について説明したが、必ずしも駆動電圧制御に限定されるものではなく、具体的には、例えば駆動輝度信号のコントラストを制御したり、電子源から放出される電子ビームの加速電圧を制御したりすることも可能である。
【０１４１】
また、上述の第６の実施形態においては、表示輝度がユーザー調整により決定される例を示したが、この表示輝度を入力信号に応じて決定する場合もある。
【０１４２】
すなわち、上述した１１２５ｉ，７５０ｐのような高解像度放送を受信した時やコンピュータ信号などを受信した場合においては、表示輝度よりも表示画質を優先するように１走査ずつ順次走査する走査条件を選択し、５２５ｉのような、入力画像信号の解像度が比較的高くない信号の場合においては、明るさを優先させるような走査条件に決定することも可能である。さらには、表示輝度や入力信号の両方の情報から、適応的に走査条件を決定するようにしても良く、画像表示装置の使用者が直接的に走査条件を決定することも可能である。
【０１４３】
以上説明したように、この発明のそれぞれの実施形態によれば、内部回路の動作周波数を増加させることなく、入力画像信号のリフレッシュレートよりも高い表示リフレッシュレートによって面表示を行うことが可能となり、コストの増加を抑制しつつ、入力信号のリフレッシュレートに起因するフリッカ妨害を改善することが可能となる。また、上述した実施形態の構成によれば、従来技術に比して、画像表示装置のより一層の高輝度化を実現する条件を確保することが可能となる。
【０１４４】
また、上述したように、輝度の向上を図ることなく、同輝度を得ることができるように、それぞれの画素の電子放出量を減らすように応用することにより、発光輝度を維持しつつ走査配線を流れる駆動電流を低減することが可能となり、走査配線上に発生する電圧降下に起因する輝度低下を軽減する条件を得ることができる。
【０１４５】
また、種々の走査条件を有することにより、入力画像信号種別やユーザー要求に応じて、適応的に表示画質や表示輝度を制御することができるので、ユーザーの使い勝手が向上された画像表示装置を実現することができる。
【０１４６】
以上、この発明の実施形態について具体的に説明したが、この発明は、上述の実施形態に限定されるものではなく、この発明の技術的思想に基づくそれぞれの種の変形が可能である。
【０１４７】
例えば、上述の実施形態において挙げた数値、走査条件、マトリクス数はあくまでも例に過ぎず、必要に応じてこれと異なる数値、走査条件、マトリクス数を用いてもよい。
【０１４８】
また、本願に係る発明によれば、フリッカ妨害を低減するとともに、このフリッカ妨害の低減に伴うコスト増を抑制することができ、高い表示リフレッシュレートでの表示を低コストで行うことができる。また、大画面で高精細パネルを用いた表示装置において、高フレームレート化駆動を実現することができるとともに、輝度の向上を図ることができる。
【０１４９】
【発明の効果】
以上説明したように、本願に係る発明によれば、高いリフレッシュレートでの駆動を好適に行うことができる。
【図面の簡単な説明】
【図１】この発明の第１の実施形態による画像表示装置を示すブロック図である。
【図２】この発明の第１の実施形態による画像表示装置における走査配線走査シーケンスを示す略線図である。
【図３】この発明の第２の実施形態による画像表示装置における走査配線走査シーケンスを示す略線図である。
【図４】この発明の第３の実施形態による画像表示装置における走査配線走査シーケンスを示す略線図である。
【図５】この発明の第４の実施形態による画像表示装置における走査配線走査シーケンスを示す略線図である。
【図６】従来技術による走査配線走査シーケンスを示す図である。
【図７】従来技術による走査配線走査シーケンスを示す図である。
【符号の説明】
１００  表示パネル
１０１  入力端子部
１０２  駆動輝度信号生成部
１０３  変調配線駆動部
１０４  走査配線駆動部
１０５  タイミング発生部
１０６  発光輝度制御部
１０７  走査条件決定部
１０８  Ｖｍ電源部
１０９  Ｖｓｓ電源部
１１０  Ｖｕｓ電源部
１１１  高圧電源部
【図１】
2004219884.tif 000003
【図２】
2004219884.tif 000004
【図３】
2004219884.tif 000005
【図４】
2004219884.tif 000006
【図５】
2004219884.tif 000007
【図６】
2004219884.tif 000008
【図７】
2004219884.tif 000009